(57)【要約】  デバイスは、キュービットを含む第１のチップと、第１のチップに結合されている第２のチップであって、第２のチップは、互いの反対側を向いた第１および第２の表面を備えた基板を含み、第１の表面は、第１のチップに面している、第２のチップとを含み、第２のチップは、基板の第１の表面の上の超伝導体材料の単一の層であって、第１の回路素子を含む、超伝導体材料の単一の層を含む。第２のチップは、基板の第２の表面の上の第２の層であって、第２の回路素子を含む、第２の層をさらに含む。第２のチップはスルーコネクタをさらに含み、スルーコネクタは、基板の第１の表面から基板の第２の表面へ延在し、超伝導体材料の単一の層の一部分を第２の回路素子に電気的に接続している。
2019532505.tif 000002
【特許請求の範囲】
【請求項１】
キュービットを含む第１のチップと、
前記第１のチップに結合されている第２のチップであって、前記第２のチップが、互いの反対側を向いた第１および第２の表面を有する基板を含み、前記第１の表面が前記第１のチップに面している、第２のチップと
を備えるデバイスであって、前記第２のチップが、
前記基板の前記第１の表面の上の超伝導体材料の単一の層であって、第１の回路素子を含む、超伝導体材料の単一の層と、
前記基板の前記第２の表面の上の第２の層であって、第２の回路素子を含む、第２の層と、
前記基板の前記第１の表面から前記基板の前記第２の表面へ延在し、前記超伝導体材料の単一の層の一部分を前記第２の回路素子に電気的に接続している、コネクタと
を備える、デバイス。
【請求項２】
前記デバイスは、前記第１のチップと前記第２のチップの前記第１の層との間にバンプボンドを備え、前記バンプボンドが前記第１のチップの前記キュービットと前記第１の回路素子との間のデータを連結するように配置されている、請求項１に記載のデバイス。
【請求項３】
前記バンプボンドがインジウムを含む、請求項２に記載のデバイス。
【請求項４】
前記基板の前記第１の表面と直接接触しているか、または、前記第１のチップに面する前記超伝導体材料の単一の層の表面と直接接触している、固体誘電材料が存在しない、請求項１に記載のデバイス。
【請求項５】
前記第１の回路素子が共振器を含む、請求項１に記載のデバイス。
【請求項６】
前記超伝導体材料の単一の層がワイヤボンドパッドを含む、請求項１に記載のデバイス。
【請求項７】
前記超伝導体材料の単一の層が伝送ラインを含み、前記ワイヤボンドパッドが前記伝送ラインに電気的に接続されており、前記伝送ラインが前記第１の回路素子に電磁気的に連結するかまたは電気的に連結するように配置されている、請求項６に記載のデバイス。
【請求項８】
前記コネクタが前記基板の開口部を通って延在している、請求項１に記載のデバイス。
【請求項９】
前記第２の層が誘電体膜を含む、請求項１に記載のデバイス。
【請求項１０】
前記誘電体膜がシリコンを含む、請求項９に記載のデバイス。
【請求項１１】
前記第２の層がワイヤリングおよび誘電体膜の複数の層を含む、請求項１に記載のデバイス。
【請求項１２】
前記第２の回路素子が、平行板キャパシタ、クロスオーバーワイヤリング、増幅器、共振器、超伝導体材料の複数の層を含むワイヤリング、または、ジョセフソン論理回路を含む、請求項１に記載のデバイス。
【請求項１３】
前記超伝導体材料の単一の層が、前記バンプボンドを介して前記第１のチップのキュービットに動作可能に連結された測定読み出し共振器を含む、請求項１に記載のデバイス。
【請求項１４】
前記基板が単結晶シリコンを含む、請求項１に記載のデバイス。
【請求項１５】
前記基板がおおよそ１００ミクロンからおおよそ１０００ミクロンの間の厚さを有する、請求項１に記載のデバイス。
【請求項１６】
前記コネクタがタングステンまたは銅を含む、請求項１に記載のデバイス。
【請求項１７】
前記コネクタが超伝導体を含む、請求項１に記載のデバイス。
【請求項１８】
前記超伝導体材料の単一の層と前記第１のチップとの間の前記バンプボンドの厚さがおおよそ１ミクロンからおおよそ１０ミクロンの間にある、請求項１に記載のデバイス。
【請求項１９】
前記超伝導体材料の単一の層がアルミニウムまたはニオブを含む、請求項１に記載のデバイス。
【請求項２０】
キュービットを含む第１のチップを提供するステップと、
基板と、前記基板の第１の側に第１の回路素子を形成する超伝導体材料の単一の層と、前記基板の前記第１の側の反対側にある第２の側上の第２の回路素子とを備える第２のチップを提供するステップであって、前記第２の回路素子が前記超伝導体材料の単一の層の一部分に電気的に連結されている、ステップと、
前記第２のチップの前記超伝導体材料の層が前記第１のチップに面するように、前記第１のチップを前記第２のチップに接合するステップと
を含む、方法。
【請求項２１】
前記第１のチップを前記第２のチップに接合するステップが、前記第１のチップと前記第２のチップとの間にバンプボンドを形成するステップを含む、請求項２０に記載の方法。
【請求項２２】
前記バンプボンドが前記キュービットと前記第１の回路素子との間のデータを連結するように構成されている、請求項２１に記載の方法。
【請求項２３】
量子回路素子を含む第１のチップと、
前記第１のチップに結合されている第２のチップと
を備えるデバイスであって、前記第２のチップが、
第１の側上に単一の第１の超伝導体層を含む基板であって、前記単一の第１の超伝導体層が前記第１のチップに接合されている、基板と、
前記基板の異なる第２の側上に第２の超伝導体層と
を含む、デバイス。
【請求項２４】
前記第２のチップがコネクタをさらに含み、前記コネクタが前記基板の前記第１の側から前記基板の前記第２の側へ延在しかつ前記単一の第１の超伝導体層の一部分を前記第２の超伝導体層に接続している、請求項２３に記載のデバイス。
【請求項２５】
前記単一の第１の超伝導体層が前記基板の前記第１の側と直接接触している、請求項２３に記載のデバイス。
【請求項２６】
前記単一の第１の超伝導体層の上部表面と前記第１のチップとの間にギャップが延在している、請求項２５に記載のデバイス。
【請求項２７】
前記第２のチップが前記基板の前記第２の側上に誘電体層をさらに含む、請求項２３に記載のデバイス。
【発明の詳細な説明】
【技術分野】
【０００１】
本開示は、積層量子デバイス内の損失を低減させることに関する。
【背景技術】
【０００２】
量子コンピューティングは、比較的新しいコンピューティング方法であり、これは、基礎状態の重ね合わせおよびもつれなどのような、量子効果を利用し、古典デジタルコンピューターよりも効率的に特定の計算を実施する。デジタルコンピューターとは対照的に（デジタルコンピューターはビット（たとえば「１」または「０」）の形態の情報を記憶および操作する）、量子コンピューティングシステムは、キュービットを使用して情報を操作することが可能である。キュービットは、複数の状態の重ね合わせ（たとえば、「０」状態および「１」状態の両方にあるデータ）を可能にする量子デバイスを言うことがあり、および／または、複数の状態の中のデータ自体の重ね合わせを言うことがある。従来の専門用語によれば、量子系における「０」状態および「１」状態の重ね合わせは、たとえば、α｜０＞＋β｜１＞として表され得る。デジタルコンピューターの「０」状態および「１」状態は、それぞれ、キュービットの｜０＞および｜１＞の基礎状態と同様である。値｜α｜２は、キュービットが｜０＞状態にある確率を表し、一方、値｜β｜２は、キュービットが｜１＞基礎状態にある確率を表す。
【発明の概要】
【課題を解決するための手段】
【０００３】
一般的に、いくつかの態様では、本開示の主題は、キュービットを含む第１のチップと、第１のチップに結合されている第２のチップであって、第２のチップは、互いの反対側を向いた第１および第２の表面を備えた基板を含み、第１の表面は、第１のチップに面している、第２のチップとを含むデバイスであって、第２のチップは、基板の第１の表面の上の超伝導体材料の単一の層であって、第１の回路素子を含む、超伝導体材料の単一の層を含む、デバイスにおいて具現化され得る。第２のチップは、基板の第２の表面の上の第２の層であって、第２の回路素子を含む、第２の層をさらに含む。第２のチップは、スルーコネクタをさらに含み、スルーコネクタは、基板の第１の表面から基板の第２の表面へ延在し、超伝導体材料の単一の層の一部分を第２の回路素子に電気的に接続している。
【０００４】
デバイスの実装形態は、本明細書で説明されている以下の特徴または他の特徴のうちの１つまたは複数を含むことが可能である。たとえば、いくつかの実装形態では、デバイスは、第１のチップと第２のチップの第１の層との間にバンプボンドを含み、バンプボンドは、第１のチップのキュービットと第１の回路素子との間のデータを連結するように配置されている。バンプボンドは、インジウムを含むことが可能である。
【０００５】
いくつかの実装形態では、基板の第１の表面と直接接触しているか、または、超伝導体材料の単一の層の表面と直接接触している、誘電材料が存在しない（たとえば、固体の誘電材料が存在しない）。
【０００６】
いくつかの実装形態では、第１の回路素子は共振器を含む。
【０００７】
いくつかの実装形態では、超伝導体材料の単一の層はワイヤボンドパッドを含む。また、超伝導体材料の単一の層は伝送ラインを含むことが可能であり、ワイヤボンドパッドは、伝送ラインに電気的に接続されており、伝送ラインは、第１の回路素子に電磁気的に連結するかまたは電気的に連結するように配置されている。
【０００８】
いくつかの実装形態では、スルーコネクタは、基板の開口部を通って延在している。いくつかの実装形態では、第２の層は誘電体膜を含む。誘電体膜はシリコンを含むことが可能である。
【０００９】
いくつかの実装形態では、第２の層は、ワイヤリングおよび誘電体膜の複数の層を含む。
【００１０】
いくつかの実装形態では、第２の回路素子は、平行板キャパシタ、クロスオーバーワイヤリング、増幅器、共振器、超伝導体材料の複数の層を含むワイヤリング、または、ジョセフソン論理回路を含む。
【００１１】
いくつかの実装形態では、超伝導体材料の単一の層は、測定読み出し共振器（ｍｅａｓｕｒｅｍｅｎｔ  ｒｅａｄｏｕｔ  ｒｅｓｏｎａｔｏｒ）を含み、測定読み出し共振器は、バンプボンドを通して第１のチップのキュービットに動作可能に連結されている。
【００１２】
いくつかの実装形態では、基板は単結晶シリコンを含む。
【００１３】
いくつかの実装形態では、基板は、おおよそ１００ミクロンからおおよそ１０００ミクロンの間の厚さを有する。
【００１４】
いくつかの実装形態では、スルーコネクタはタングステンまたは銅を含む。
【００１５】
いくつかの実装形態では、スルーコネクタは超伝導体を含む。
【００１６】
いくつかの実装形態では、超伝導体材料の単一の層と第１のチップとの間のバンプボンドの厚さは、おおよそ１ミクロンからおおよそ１０ミクロンの間にあることが可能である。
【００１７】
いくつかの実装形態では、超伝導体材料の単一の層は、アルミニウムまたはニオブを含む。
【００１８】
一般的に、別の態様では、本開示の主題は、キュービットを含む第１のチップを提供するステップと、基板を含む第２のチップを提供するステップであって、超伝導体材料の単一の層が、基板の第１の側部の上に第１の回路素子を形成するとともに、第１の側部の反対側にある基板の第２の側部の上に第２の回路素子を形成しており、第２の回路素子は、超伝導体材料の単一の層の一部分に連結されている（たとえば、電気的に連結されている）、ステップと、第２のチップの超伝導体材料の層が第１のチップに面するように、第１のチップを第２のチップに接合するステップとを含む、方法において具現化され得る。
【００１９】
方法の実装形態は、本明細書で説明されている以下の特徴または他の特徴のうちの１つまたは複数を含むことが可能である。たとえば、いくつかの実装形態では、第１のチップを第２のチップに接合するステップは、第１のチップと第２のチップとの間にバンプボンドを形成するステップを含む。
【００２０】
いくつかの実装形態では、バンプボンドは、キュービットと第１の回路素子との間のデータを連結するように構成されている。
【００２１】
一般的に、別の態様では、本開示の主題は、量子回路素子を含む第１のチップと、第１のチップに結合されている第２のチップとを含むデバイスであって、第２のチップは、基板の第１の側部の上に単一の第１の超伝導体層を含む基板であって、単一の第１の超伝導体層は、第１のチップに接合されている、基板と、基板の異なる第２の側部の上にある第２の超伝導体層とを含む、デバイスにおいて具現化され得る。
【００２２】
デバイスの実装形態は、本明細書で説明されている以下の特徴または他の特徴のうちの１つまたは複数を含むことが可能である。たとえば、いくつかの実装形態では、第２のチップはコネクタをさらに含み、コネクタは、基板の第１の側部から基板の第２の側部へ延在し、単一の第１の超伝導体層の一部分を第２の超伝導体層に接続している。
【００２３】
いくつかの実装形態では、単一の第１の超伝導体層は、基板の第１の側部と直接接触している。単一の第１の超伝導体層の上部表面と第１のチップとの間にギャップが延在していることが可能である。
【００２４】
いくつかの実装形態では、第２のチップは、基板の異なる第２の側部の上に誘電体層をさらに含む。
【００２５】
さまざまな実施形態および実装形態は、以下の利点のうちの１つまたは複数を含むことが可能である。たとえば、いくつかの実装形態では、デバイスおよび方法は、堆積された誘電材料によって引き起こされる量子回路素子の中のエネルギー損失および散逸の低減を可能にする。
【００２６】
本開示の目的のために、超伝導体（代替的に、超伝導）材料は、超伝導臨界温度以下において超伝導特性を示す材料として理解され得る。超伝導体材料の例は、アルミニウム（たとえば、１．２ケルビンの超伝導臨界温度）、ニオブ（たとえば、９．３ケルビンの超伝導臨界温度）、および窒化チタン（たとえば、５．６ケルビンの超伝導臨界温度）を含む。
【００２７】
本発明の１つまたは複数の実装形態の詳細は、添付の図面および下記の説明に記述されている。他の特徴および利点は、詳細な説明、図面、および特許請求の範囲から明らかになることとなる。
【図面の簡単な説明】
【００２８】
【図１】量子プロセッサの中のエネルギー損失／散逸を低減させるためのデバイスの例を図示する概略図である。
【図２】キャリアチップ上の層の例の上面図を図示する概略図である。
【図３】キャリアチップ上の層の例の上面図を図示する概略図である。
【発明を実施するための形態】
【００２９】
量子コンピューティングは、量子コンピュータの量子ビット（キュービット）の中に記憶された量子情報をコヒーレントに処理することを伴う。量子アニーラーなどの特定のタイプの量子コンピューティングプロセッサでは、量子プロセッサのキュービットは、制御可能な様式で一緒に連結され、それぞれのキュービットの量子状態が、それが連結されている他のキュービットの対応する量子状態に影響を与えるようになっている。超伝導量子コンピューティングは、量子回路素子が部分的に超伝導体材料から形成されている量子コンピューティング技術の前途有望な実装形態である。超伝導量子コンピュータは、典型的にはマルチレベルシステムであり、最初の２つのレベルのみが計算基礎として使用される。そのような量子コンピュータは、非常に低い温度で動作させられることとなり、それにより、超伝導性を実現することができ、また、熱変動がエネルギーレベル同士の間の移行を引き起こさないようになっている。追加的に、量子回路素子を低いエネルギー損失／散逸によって動作させて、量子デコヒーレンスを回避することが好ましい可能性がある。
【００３０】
超伝導量子回路素子（量子回路デバイスとも称される）、なかでも、たとえば、キュービット、インダクタンスベースの光子検出器、および共振器などは、低い損失のリアクティブマイクロ波コンポーネント（ｒｅａｃｔｉｖｅ  ｍｉｃｒｏｗａｖｅ  ｃｏｍｐｏｎｅｎｔ）に依存し、高いクオリティーファクタＱを実現する。いくつかの実装形態では、複雑な量子回路構造体（または、古典回路構造体）の製作は、超伝導体材料に加えて、堆積された誘電体の１つまたは複数の層を使用することを必要とする可能性がある。しかし、堆積された誘電体は、アモルファスまたは多結晶固体であることが可能であり、堆積された誘電体は、典型的には、単結晶シリコン基板などのような、堆積されていない誘電体と比較して、（一部のケースでは何桁も）高い損失を有する。そのような堆積された誘電体は、高いコヒーレンス／低いデコヒーレンスの超伝導量子回路には適切でない可能性がある。これらのいわゆる「損失の多い」堆積された誘電体は、系の中の散逸を支配し、フィールドカップリング（ｆｉｅｌｄ  ｃｏｕｐｌｉｎｇ）を通して、たとえば、キュービットデコヒーレンスを引き起こし、したがって、量子プロセッサの性能を制限する可能性がある。
【００３１】
したがって、いくつかの実装形態では、損失の多い誘電体の１つまたは複数の層を有する複雑な回路素子を、キュービットから比較的離れた位置、たとえば、キュービットから分離したチップの上などに配置することが有用である可能性がある。次いで、キュービットを含有するチップ（または、複数のチップ）が、複雑な量子回路素子および／または古典回路素子を含有するチップの上にスタックされ得る。しかし、損失の多い誘電体を有する回路素子が別のキャリアチップに配置されているときでも、回路素子は、キュービットに近過ぎる場合には、デコヒーレンスをもたらす可能性がある。たとえば、損失の多い誘電体を有する回路素子は、キュービットを含むチップに面するキャリアチップの表面の上に配置され得、回路素子とキュービットを担持するチップとの間の距離が、２つのチップの間のボンド接続の厚さに限定されるようになっている。いくつかの実装形態では、これは、回路素子とキュービットとの間の損失の多い相互作用につながり、その結果キュービットがデコヒーレンスを引き起こす可能性がある。
【００３２】
本開示は、キュービットを含有するチップから離れる方に面するキャリアチップの表面の上に（「非コヒーレント側」）、損失の多い誘電体を有する回路素子を配置することによって、積層量子デバイスの中のそのような損失を低減させることに関する。たとえば、そうでなければ近隣のキュービットの中にデコヒーレンスを誘導することとなる回路素子は、キャリアチップの逆側または裏側に設置され得る。高いコヒーレンスおよび低い損失を維持する回路素子は、キュービットを担持するチップのキュービットのより近くに、キャリアウエハーの表側（「コヒーレント側」）に配置され得る。たとえば、高いコヒーレンスおよび低い損失を維持する回路は、キャリアウエハーの表面と直接接触して形成されている単一の層の中に配置され得る。
【００３３】
図１は、量子プロセッサの中のエネルギー損失／散逸を低減させるためのデバイス１００の例を図示する概略図である。デバイス１００は、第１のチップ１０２を含み、第１のチップ１０２は、キュービットなどのような、量子回路素子を含み、第１のチップ１０２は、第２のチップ１０４に接合されており（たとえば、結合されている）、第２のチップ１０４は、キャリアチップとも称され、第２のチップ１０４は、第１のチップ１０２から取得されるデータを処理するための、および／または、第１のチップ１０２へデータを送信するための回路素子を含む。第２のチップ１０４は、基板１０８を含み、基板１０８は、互いの反対側を向いた第１の表面１０１および第２の表面１０３を有し、第１の表面１０１が第１のチップ１０２に面した状態になっている。第２のチップ１０４は、第１の表面１０１の上に形成された第１の層１０５を含み、第１の層１０５は、下層にある基板１０８と直接接触している超伝導金属の層から形成されたコンポーネントおよび／または材料を含む。基板１０８が結晶性誘電体である実装形態では、これは、低い損失および高いコヒーレンスを有するシステムを提供し、第１のチップ１０２の上の量子回路素子（たとえば、キュービットなど）がデコヒーレンスを起こすことを引き起こす可能性は低い。また、第２のチップ１０４は、第２の表面１０３の上に形成された第２の層１０７を含み、第２の層１０７は、第１の層１０５の材料／コンポーネントよりも相対的に高い損失を量子回路素子の中に引き起こし得るコンポーネントおよび／または材料を含む。第１の層１０５および第２の層１０７は、コネクタ１０９によって連結されており（たとえば、電気的に接続されている）、コネクタ１０９は、基板１０８の第１の表面１０１から第２の表面１０３へ延在している。
【００３４】
本明細書で説明されているように、第１のチップ１０２および第２のチップ１０４のそれぞれは、データ処理動作を実施するための１つまたは複数の回路素子を含む。たとえば、いくつかの実装形態では、第１のチップ１０２は、量子処理動作を実施する際に使用するための１つまたは複数の量子回路素子を含む。すなわち、量子回路素子は、重ね合わせおよびもつれなどのような、量子力学的な現象を使用し、非決定論的な様式でデータの上の動作を実施するように構成され得る。それとは対照的に、古典回路素子は、一般的に、決定論的な様式でデータを処理する。いくつかの実装形態では、第１のチップ１０２は、量子回路素子のみを含み、たとえば、第１のチップ１０２は、古典回路素子を含まない。
【００３５】
キュービットなどのような、特定の量子回路素子は、同時に２つ以上の状態の情報を表し、その情報に基づいて動作するように構成され得る。いくつかの実装形態では、量子回路素子は、なかでも、超伝導コプレーナ導波路、量子ＬＣ発振器、磁束キュービット、電荷キュービット、超伝導量子干渉デバイス（ＳＱＵＩＤ）（たとえば、ＲＦ−ＳＱＵＩＤまたはＤＣ−ＳＱＵＩＤ）などのような、回路素子を含む。量子回路素子は、超伝導体材料（たとえば、アルミニウム、窒化チタン、またはニオブ）から部分的に形成された回路素子を含むことが可能である。
【００３６】
第１のチップ１０２の量子回路素子は、基板の上および／または中に形成され得る。第１のチップの基板は、たとえば、シリコンまたはサファイヤウエハなどのような、量子回路素子に適切な低損失の誘電体から形成され得る。基板には、他の材料も代わりに使用され得る。
【００３７】
第２のチップ１０４（キャリアチップとも称される）は、同様に、複数の量子回路素子を含むことが可能である。たとえば、第２のチップ１０４の上に形成されている量子回路素子は、他のタイプの量子回路素子の中でも、超伝導体コプレーナ導波路、共振器、キャパシタ、伝送ライン、グランドプレーン、増幅器、ＲＦまたはＤＣ超伝導量子干渉デバイス（ＳＱＵＩＤ）、ジョセフソン接合を含むことが可能である。いくつかの実装形態では、第１のチップ１０２および／または第２のチップ１０４の上の量子回路素子は、キュービットのための読み出しデバイス、または、キュービットのための制御デバイスなどのような、特殊用途回路を形成するように配置され得る。たとえば、第２のチップ１０４のコヒーレントは、コプレーナ導波路伝送ライン、共振器、および／または、ダブルアングル蒸着から作製された単一の層ＳＱＵＩＤを含むことが可能である。非コヒーレント側は、たとえば、マイクロストリップ伝送ライン、複雑な多層増幅器回路、平行板キャパシタ、多層ワイヤリング、および／またはジョセフソン論理素子を含むことが可能である。
【００３８】
いくつかの実装形態では、第２のチップ１０４は、古典回路素子を含むことが可能である。また、古典回路素子は、均一な処理方法を維持するために、超伝導体材料によって部分的に形成され得る。超伝導体材料によって形成された古典回路素子の例は、ラピッド単一磁束量子（ＲＳＦＱ）デバイスを含む。ＲＳＦＱは、デジタル信号を処理するために超伝導体デバイス（すなわち、ジョセフソン接合）を使用するデジタル電子機器技術である。ＲＳＦＱ論理において、情報は、磁束量子の形態で記憶され、単一磁束量子（ＳＦＱ）電圧パルスの形態で伝送される。トランジスタが半導体ＣＭＯＳ電子機器に関するアクティブ素子であるのとまったく同じように、ジョセフソン接合は、ＲＳＦＱ電子機器に関するアクティブ素子である。ＲＳＦＱは、超伝導体またはＳＦＱ論理の１つのファミリーである。他のものは、たとえば、レシプロカル量子論理（ＲＱＬ）およびＥＲＳＦＱを含み、ＥＲＳＦＱは、バイアス抵抗器を使用しないＲＳＦＱのエネルギー効率的なバージョンである。古典回路の他の例は、デジタルまたはアナログＣＭＯＳデバイスを含む。古典回路素子は、データについて基礎的な算術演算、論理演算、および／または入力／出力操作を実施することによって、コンピュータープログラムの命令を集合的に実施するように構成され得、ここで、データは、アナログ形態またはデジタル形態で表されている。いくつかの実装形態では、第２のチップ１０４の上の古典回路素子は、電気的なまたは電磁的な接続を通して、第２のチップ１０４および／または第１のチップ１０２の上の量子回路素子へデータを送信するために、および／または、その量子回路素子からデータを受信するために使用され得る。
【００３９】
第１のチップ１０２と同様に、第２のチップ１０４は、また、単結晶シリコンまたはサファイヤなどのような、量子回路に適切な低い損失の誘電材料から形成された基板１０８を含むことが可能である。基板１０８の厚さは、たとえば、おおよそ１００ミクロンからおおよそ１０００ミクロンの間にあることが可能である。
【００４０】
第１のチップ１０２は、バンプボンド１０６を通して第２のチップ１０４に接合され得る。バンプボンド１０６は、第１のチップ１０２の上のキュービットと第２のチップ１０４上の回路素子との間のデータを連結するように配置され得る。バンプボンド１０６は、超伝導体材料を含み、たとえば、第１のチップ１０２の上に位置付けされ得るキュービットのエネルギー損失およびデコヒーレンスを回避することが可能である。たとえば、バンプボンド１０６としての使用に適切な超伝導体材料は、それに限定されないが、金の薄い層を有するインジウム、鉛、レニウム、パラジウム、またはニオブを含む。バンプボンド１０６は、第１のチップ１０２および第２のチップ１０４の両方の上の相互接続パッド１１０の上に形成され得る。いくつかの実装形態では、バンプボンド１０６と相互接続パッド１１０との間の拡散を回避するために、バンプボンド１０６は、バリア層を含み、バリア層は、導電性のバリアとしての役割を果たし、相互接続パッド１１０の中へのバンプボンド材料の拡散をブロックし、および／または、その逆も同様である。例示的なバリア層材料は、窒化チタンを含む。
【００４１】
第１のチップ１０２および第２のチップ１０４が間隔を置いて配置され、第１のチップ１０２の上の回路素子と第２のチップ１０４の上の回路素子との間の所望の容量性のまたは誘導性の連結を実現するように、バンプボンド１０６の厚さが設定され得る。たとえば、第１のチップ１０２の上の相互接続パッド１１０の表面と第２のチップ１０４の上の相互接続パッド１１０との間の距離１２０は、おおよそ０．５μｍからおおよそ１００μｍの間（たとえば、おおよそ１０μｍからおおよそ２０μｍの間、おおよそ１μｍから１０μｍの間、おおよそ０．５μｍからおおよそ２０μｍの間、おおよそ０．５μｍからおおよそ１５μｍの間、おおよそ０．５μｍからおおよそ１０μｍの間、おおよそ０．５μｍからおおよそ５μｍの間、または、おおよそ０．５μｍからおおよそ２．５μｍの間）となるように設定され得る。おおよその距離は、バンプボンド１０６（および／または、距離に影響を与え得る他のコンポーネント）を形成するように材料を堆積および／または除去するために使用される堆積技法の精度限界および／または精密度限界に基づく、ならびに、距離がそれによって測定される計測学技法の精度限界および／または精密度限界に基づく、不確かさの範囲内にあり得る。
【００４２】
相互接続パッド１１０は、パッド１１０がその上に形成されているチップ上の回路素子への電気的な接続を提供する。たとえば、第１のチップ１０２の相互接続パッド１１０は、第１のチップ１０２の１つまたは複数の回路素子に（たとえば、電気的にまたは電磁気的に）連結されている。同様に、第２のチップ１０４の相互接続パッド１１０は、第２のチップ１０４の１つまたは複数の回路素子に（たとえば、電気的にまたは電磁気的に）連結されている。回路素子への相互接続パッド１１０の連結は、それぞれのチップの基板の上および／または中に形成された相互接続部によって提供され得る。たとえば、第２のチップ１０４の相互接続パッド１１０は、（たとえば、回路素子と同一平面内にある）基板１０８の表側表面の上のメタライゼーション／超伝導体材料の単一の層を通して、回路素子に連結され得る。代替的に、または、加えて、第２のチップ１０４の相互接続パッド１１０は、基板貫通コンタクト１０９を使用して、基板１０８の裏側表面１０３の上の回路素子に連結され得る。相互接続パッド１１０は、超伝導体材料から形成されており、隣接する量子回路素子の中のデコヒーレンスおよびエネルギー損失を低減させ、および／または、チップから発生する熱を低減させることが可能である。たとえば、相互接続パッド１１０は、アルミニウム、ニオブ、または窒化チタンから形成され得る。同様に、相互接続パッド１１０には、他の材料も使用され得る。
【００４３】
いくつかの実装形態では、第２のチップ１０４は、また、ワイヤボンドパッド１１２を含むことが可能である。ワイヤボンドパッド１１２は、外部の電子的な制御および測定デバイスなどのような外部デバイスにチップ１０４を電気的に接続するためのワイヤボンドが形成され得るエリアを提供する。いくつかの実装形態では、ワイヤボンドパッド１１２は、相互接続パッド１１０と同じ材料から形成されている。たとえば、ワイヤボンドパッドは、アルミニウム、ニオブ、または窒化チタンから形成され得る。また、ワイヤボンドパッド１１２には、他の材料も使用され得る。
【００４４】
本明細書で説明されているように、第２のチップ１０４の第１の層１０５は、第１のチップ１０２の上の近隣の量子回路素子（たとえば、キュービットなど）の中に相対的に低い損失およびデコヒーレンスを引き起こすコンポーネントおよび／または材料を含む。たとえば、いくつかの実装形態では、第１の層１０５は、低い損失の基板１０８の上に堆積されている超伝導体材料の層を含む。層１０５の超伝導体材料は、共振器、伝送ライン、ワイヤボンドパッド、および相互接続パッド１１０などのような、特定の回路素子を形成するようにパターニングされ得る。いくつかの実装形態では、層１０５は、基板１０８の表面１０１と直接的に接触して形成され得る。いくつかの実装形態では、層１０５は、堆積された誘電体などのような、任意の誘電材料を含まない。誘電材料なしの層を形成する利点は、そのような材料がキュービットなどのような近隣の量子回路素子の中に引き起こし得る損失を低減させることである。いくつかの実装形態では、層１０５は、超伝導体材料の単一の層を含み、層１０５の回路素子が超伝導体材料だけから形成されるようになっている。層１０５に選択される超伝導体材料は、たとえばアルミニウムを含むことが可能であるが、その代わりに、他の超伝導体材料も使用され得る。
【００４５】
図２は、キャリアチップ１０４からの層１０５の例の上面図を図示する概略図である。層１０５は、複数のコプレーナ回路素子を含む。たとえば、層１０５は、１つまたは複数のコプレーナ導波路共振器２０２を含むことが可能である。コプレーナ導波路共振器２０２は、センターライン２０２ａを含み、センターライン２０２ａは、一定の幅ギャップ（図２において、センターライン２０２ａを取り囲む黒いラインによって示されている）によって、それぞれの側において、グランドプレーン２０８から分離されている。いくつかの実装形態では、層１０５は、１つまたは複数の伝送ライン２０４を含む。伝送ライン２０４は、コプレーナ導波路共振器２０２のうちの１つまたは複数の近くに構成および配置され得、伝送ライン２０４が、キャリアチップの動作の間に共振器２０２に電磁気的に連結することができるようになっている。層１０５は、第１のチップ１０２と第２のチップ１０４との間のバンプボンドと接触するように配置されている相互接続パッドをさらに含む。代替的に、または、加えて、相互接続パッドは、第２のチップの上または中に配置されているスルーコンタクトに電気的に連結され得る。層１０５は、ワイヤボンドパッド２０６をさらに含むことが可能である。相互接続パッドおよびワイヤボンドパッド２０６のそれぞれは、基板表面１０１の上の超伝導体材料の所定の部分から離れるようにエッチングによって製作され、画定された超伝導体領域を形成することが可能である。ワイヤボンドパッド２０６は、伝送ライン２０４に電気的に接続され得る。
【００４６】
本明細書で説明されているように、および、再び図１を参照すると、第２のチップ１０４は、第２の層１０７も含み、第２の層１０７は、基板１０８の第２の表面１０３の上に形成されており、第２の層１０７は、第１の層１０５の材料／コンポーネントよりも相対的に高い損失を量子回路素子（たとえば、キュービット）の中に引き起こし得るコンポーネントおよび／または材料を含む。基板１０８の底部側にそのような回路素子を配置することによって、それらの回路素子は、第１のチップ１０２の量子回路素子から、および、層１０５の量子回路素子から、遠くに離れている。したがって、層１０７の中に形成される回路は、チップ１０２または層１０５の量子回路素子の中のエネルギー損失またはデコヒーレンスを誘導する可能性が低い。
【００４７】
層１０７は、１つまたは複数の材料の層を含むことが可能である。たとえば、層１０７は、ＳｉＯ２、ＳｉＮ、またはアモルファスＳｉなどのような、堆積された誘電体１１１の１つまたは複数の層を含むことが可能である。また、層１０７は、アルミニウムなどのような、超伝導体材料１１３の１つまたは複数の層を含むことが可能である。代替的に、または、加えて、層１０７は、銅または銀などのような、超伝導体として機能しない材料を含むことが可能である。層１０７の材料は、１つまたは複数の量子回路素子または古典回路素子の中へパターニングされ得る。層１０７の中に形成され得る量子回路素子または古典回路素子の例は、抵抗器、インダクタ、キャパシタ（たとえば、平行板キャパシタ）、クロスオーバーワイヤリング（たとえば、エアブリッジコネクタ）、増幅器（たとえば、進行波パラメトリック増幅器）、共振器（たとえば、ＬＣ発振器）、またはジョセフソン論理回路（たとえば、ＲＳＦＱデバイス、およびＲＱＬデバイス、またはＥＲＳＦＱデバイス）を含む。
【００４８】
図３は、層１０７の例の上面図を図示する概略図である。図３の例に示されているように、層１０７は、複数の回路素子を含む。たとえば、例の中の層１０７は、コプレーナ伝送ライン３０２を含む。伝送ライン３０２は、超伝導体材料から形成されたセンターライン３０２ａを含み、グランドプレーン３０１から分離され得る。また、層１０７は、誘電体クロスオーバー３０４を含み、誘電体クロスオーバー３０４は、センターライン３０２ａに電気的に接続することなく、センターライン３０２ａのそれぞれの側のグランドプレーン同士の間の共通の電気的な接続を提供する。また、層３０７は、コプレーナ導波路共振器３０６、平行板キャパシタ３０８、およびハイブリッド接合伝送ライン３１０を含む。平行板キャパシタ３０８および伝送ライン３１０の製作は、たとえば、アルミニウムの第１の層の堆積を含むことが可能であり、誘電体層の堆積がそれに続き、次いで、第２のアルミニウム層の堆積が続く。いくつかの実装形態では、ビア開口部が、誘電体層の中に確立され得、第２のアルミニウム層がビアの中に堆積され、堆積後に第１のアルミニウム層と接触するようになっている。複数のパターニング（たとえば、リソグラフィーおよびエッチング）ステップが、異なるアルミニウムおよび誘電体層を画定するために必要とされ得る。
【００４９】
再び図１を参照すると、および、本明細書で説明されているように、第１の層１０５および第２の層１０７は、１つまたは複数のコネクタ１０９によって連結されており（たとえば、電気的に接続されている）、１つまたは複数のコネクタ１０９は、キャリアチップ１０４の基板１０８の第１の表面１０１から第２の表面１０３へ延在している。いくつかの実装形態では、コネクタ１０９は、第１の層１０５の１つまたは複数の回路素子と第２の層１０７の１つまたは複数の回路素子との間に低い抵抗の電気的な接続が作られることを可能にする材料を含む。たとえば、いくつかの実装形態では、第２の層１０７は、コネクタ１０９を通して測定読み出し共振器に連結されている増幅器を含む。したがって、いくつかの実装形態では、共振器を探査するために使用される信号は、層１０５からコネクタ１０９を通して層１０７の増幅器へ転送され得る。コネクタ１０９として使用され得る材料の例は、アルミニウムまたはニオブなどの超伝導体材料を含む。いくつかの実装形態では、コネクタ１０９は、超伝導体ではないが、依然として比較的低い抵抗を提供する材料、たとえば、銅、タングステン、または金などを含む。コネクタ１０９は、基板１０８の中に形成されたホールまたはビアの中に位置付けされている。基板の中のホールまたはビアは、たとえば、比較的一定の面積の開口部が基板１０８の厚さを通して形成されることを可能にする、反応性イオンエッチングまたは他の適切な技法を使用して形成され得る。ホールまたはビアが形成されると、ホールまたはビアは、スルーホールコネクタ１０９を形成するように充填され得る。たとえば、原子層堆積が、タングステンまたは銅をホールの中に堆積させるために使用され得る。代替的に、または、加えて、電気めっき技法が使用され得る。
【００５０】
コネクタ１０９は、基板１０８の中の開口部を通って延在するものとして図１に示されているが、コネクタ１０９は、代替的に（または、追加的に）、基板１０８の外側縁部に沿って延在するように形成されてもよく、その場合基板１０８の中にホールを形成することは必要でない。
【００５１】
本明細書において説明されている量子に関する主題および量子動作の実装形態は、適切な量子回路の中に、または、より一般的には、本明細書に開示されている構造体およびそれらの構造的な均等物を含む、量子計算システムの中に、または、それらのうちの１つまたは複数の組み合わせの中に実装され得る。「量子計算システム」という用語は、それに限定されないが、量子コンピュータ、量子情報処理システム、量子暗号システム、または量子シミュレータを含むことが可能である。
【００５２】
量子情報および量子データという用語は、量子系によって担持されるか、量子系の中に保持または記憶される情報またはデータを表しており、ここで、最小の非自明システムは、キュービットであり、たとえば、量子情報の単位を定義するシステムである。「キュービット」という用語は、対応する文脈の中で２レベルシステムとして適切に近似され得るすべての量子系を包含することが理解される。そのような量子系は、たとえば、２つ以上のレベルを伴うマルチレベルシステムを含むことが可能である。例として、そのようなシステムは、原子、電子、光子、イオン、または超伝導キュービットを含むことが可能である。多くの実装形態において、計算基礎状態はグランドおよび第１の励起状態によって識別されるが、計算状態がより高いレベル励起状態によって識別される他のセットアップも可能であることが理解される。量子メモリは、高い忠実度および効率によって長期間にわたって量子データを記憶することができるデバイスであり、たとえば、光が伝送のために使用される光−物質インターフェース、ならびに、重ね合わせまたは量子コヒーレンスなどのような、量子データの量子特徴を記憶および保存するための物質であることが理解される。
【００５３】
量子回路素子は、量子処理動作を実施するために使用され得る。すなわち、量子回路素子は、重ね合わせおよびもつれなどのような、量子力学的な現象を使用し、非決定論的な様式でデータの上の動作を実施するように構成され得る。キュービットなどのような、特定の量子回路素子は、同時に２つ以上の状態の情報を表し、その情報に基づいて動作するように構成され得る。本明細書で開示されているプロセスによって形成され得る超伝導量子回路素子の例は、なかでも、コプレーナ導波路、量子ＬＣ発振器、キュービット（たとえば、磁束キュービットまたは電荷キュービット）、超伝導量子干渉デバイス（ＳＱＵＩＤ）（たとえば、ＲＦ−ＳＱＵＩＤまたはＤＣ−ＳＱＵＩＤ）、インダクタ、キャパシタ、伝送ライン、グランドプレーンなどのような、回路素子を含む。
【００５４】
それとは対照的に、古典回路素子は、一般的に、決定論的な様式でデータを処理する。古典回路素子は、データについて基礎的な算術演算、論理演算、および／または入力／出力操作を実施することによって、コンピュータープログラムの命令を集合的に実施するように構成され得、ここで、データは、アナログ形態またはデジタル形態で表されている。いくつかの実装形態では、古典回路素子は、電気的なまたは電磁的な接続を通して、量子回路素子へデータを送信するために、および／または、量子回路素子からデータを受信するために使用され得る。本明細書で開示されているプロセスによって形成され得る古典回路素子の例は、ラピッド単一磁束量子（ＲＳＦＱ）デバイス、レシプロカル量子論理（ＲＱＬ）デバイス、およびＥＲＳＦＱデバイスを含み、ＥＲＳＦＱデバイスは、バイアス抵抗器を使用しないＲＳＦＱのエネルギー効率的なバージョンである。同様に、本明細書で開示されているプロセスによって、他の古典回路素子も形成され得る。
【００５５】
本明細書で説明されている回路素子などのような、超伝導量子回路素子および／または超伝導古典回路素子を使用する量子計算システムの動作の間に、超伝導回路素子は、超伝導体材料が超伝導特性を示すことを可能にする温度までクライオスタットの中で冷却される。
【００５６】
本明細書は、多くの特定の実装形態の詳細を含有しているが、これらは、特許請求されている可能性のあるものの範囲についての限定として解釈されるべきではなく、むしろ、特定の実装形態に特有である可能性がある特徴の説明として解釈されるべきである。別々の実装形態の文脈において本明細書の中で説明されている特定の特徴は、また、単一の実装形態の中に組み合わせて実装され得る。逆に、単一の実装形態の文脈において説明されているさまざまな特徴は、また、別々にまたは任意の適切なサブコンビネーションで、複数の実装形態の中に実装され得る。そのうえ、特徴は、特定の組み合わせで作用するものとして上記に説明されており、最初はそのように特許請求されている可能性さえあるが、特許請求されている組み合わせからの１つまたは複数の特徴は、いくつかのケースでは、組み合わせから切除され得、特許請求されている組み合わせは、サブコンビネーション、または、サブコンビネーションのバリエーションに向けられる可能性がある。
【００５７】
同様に、動作は、特定の順序で図面に示されているが、これは、示されている特定の順序で、もしくは、シーケンシャルな順序で、そのような動作が実施されることを必要とするものとして理解されるべきではなく、または、望ましい結果を実現するために、すべての図示されている動作が実施されることを必要とするものとして理解されるべきではない。たとえば、特許請求の範囲に記載されているアクションは、異なる順序で実施され得、依然として、望ましい結果を実現する。特定の環境においては、マルチタスキングおよび並列処理が有利であり得る。そのうえ、上記に説明されている実装形態の中のさまざまなコンポーネントの分離は、すべての実装形態の中にそのような分離を必要とするものとして理解されるべきではない。
【００５８】
複数の実装形態が説明されてきた。それにもかかわらず、本発明の精神および範囲から逸脱することなく、さまざまな修正が行われ得ることが理解されるべきである。他の実装形態も以下の特許請求の範囲の中にある。
【符号の説明】
【００５９】
１００  デバイス
１０１  第１の表面
１０２  第１のチップ
１０３  第２の表面
１０４  第２のチップ
１０５  第１の層
１０６  バンプボンド
１０７  第２の層
１０８  基板
１０９  コネクタ
１１０  相互接続パッド
１１１  誘電体
１１２  ワイヤボンドパッド
１１３  超伝導体材料
１２０  距離
２０２  コプレーナ導波路共振器
２０２ａ  センターライン
２０４  伝送ライン
２０６  ワイヤボンドパッド
２０８  グランドプレーン
３０１  グランドプレーン
３０２  コプレーナ伝送ライン
３０２ａ  センターライン
３０４  誘電体クロスオーバー
３０６  コプレーナ導波路共振器
３０７  層
３０８  平行板キャパシタ
３１０  ハイブリッド接合伝送ライン
【図１】
2019532505.tif 000003
【図２】
2019532505.tif 000004
【図３】
2019532505.tif 000005
【手続補正書】
【提出日】令和1年5月10日(2019.5.10)
【手続補正１】
【補正対象書類名】特許請求の範囲
【補正対象項目名】全文
【補正方法】変更
【補正の内容】
【特許請求の範囲】
【請求項１】
キュービットを含む第１のチップと、
前記第１のチップに結合されている第２のチップであって、前記第２のチップが、互いの反対側を向いた第１および第２の表面を有する基板を含み、前記第１の表面が前記第１のチップに面している、第２のチップと
を備えるデバイスであって、前記第２のチップが、
前記基板の前記第１の表面の上の超伝導体材料の単一の層であって、第１の回路素子を含む、超伝導体材料の単一の層と、
前記基板の前記第２の表面の上の第２の層であって、第２の回路素子を含む、第２の層と、
前記基板の前記第１の表面から前記基板の前記第２の表面へ延在し、前記超伝導体材料の単一の層の一部分を前記第２の回路素子に電気的に接続している、コネクタと
を備える、デバイス。
【請求項２】
前記デバイスは、前記第１のチップと前記第２のチップの前記単一の層との間にバンプボンドを備え、前記バンプボンドが前記第１のチップの前記キュービットと前記第１の回路素子との間のデータを連結するように配置されている、請求項１に記載のデバイス。
【請求項３】
前記バンプボンドがインジウムを含む、請求項２に記載のデバイス。
【請求項４】
前記基板の前記第１の表面と直接接触しているか、または、前記第１のチップに面する前記超伝導体材料の単一の層の表面と直接接触している、固体誘電材料が存在しない、請求項１に記載のデバイス。
【請求項５】
前記第１の回路素子が共振器を含む、請求項１に記載のデバイス。
【請求項６】
前記超伝導体材料の単一の層がワイヤボンドパッドを含む、請求項１に記載のデバイス。
【請求項７】
前記超伝導体材料の単一の層が伝送ラインを含み、前記ワイヤボンドパッドが前記伝送ラインに電気的に接続されており、前記伝送ラインが前記第１の回路素子に電磁気的に連結するかまたは電気的に連結するように配置されている、請求項６に記載のデバイス。
【請求項８】
前記コネクタが前記基板の開口部を通って延在している、請求項１に記載のデバイス。
【請求項９】
前記第２の層が誘電体膜を含む、請求項１に記載のデバイス。
【請求項１０】
前記誘電体膜がシリコンを含む、請求項９に記載のデバイス。
【請求項１１】
前記第２の層がワイヤリングおよび誘電体膜の複数の層を含む、請求項１に記載のデバイス。
【請求項１２】
前記第２の回路素子が、平行板キャパシタ、クロスオーバーワイヤリング、増幅器、共振器、超伝導体材料の複数の層を含むワイヤリング、または、ジョセフソン論理回路を含む、請求項１に記載のデバイス。
【請求項１３】
前記超伝導体材料の単一の層が、前記バンプボンドを介して前記第１のチップのキュービットに動作可能に連結された測定読み出し共振器を含む、請求項２に記載のデバイス。
【請求項１４】
前記基板が単結晶シリコンを含む、請求項１に記載のデバイス。
【請求項１５】
前記基板が１００ミクロンから１０００ミクロンの間の厚さを有する、請求項１に記載のデバイス。
【請求項１６】
前記コネクタがタングステンまたは銅を含む、請求項１に記載のデバイス。
【請求項１７】
前記コネクタが超伝導体を含む、請求項１に記載のデバイス。
【請求項１８】
前記超伝導体材料の単一の層と前記第１のチップとの間の前記バンプボンドの厚さが１ミクロンから１０ミクロンの間にある、請求項２に記載のデバイス。
【請求項１９】
前記超伝導体材料の単一の層がアルミニウムまたはニオブを含む、請求項１に記載のデバイス。
【請求項２０】
キュービットを含む第１のチップを提供するステップと、
基板と、前記基板の第１の側に第１の回路素子を形成する超伝導体材料の単一の層と、前記基板の前記第１の側の反対側にある第２の側上の第２の回路素子とを備える第２のチップを提供するステップであって、前記第２の回路素子が前記超伝導体材料の単一の層の一部分に電気的に連結されている、ステップと、
前記第２のチップの前記超伝導体材料の層が前記第１のチップに面するように、前記第１のチップを前記第２のチップに接合するステップと
を含む、方法。
【請求項２１】
前記第１のチップを前記第２のチップに接合するステップが、前記第１のチップと前記第２のチップとの間にバンプボンドを形成するステップを含む、請求項２０に記載の方法。
【請求項２２】
前記バンプボンドが前記キュービットと前記第１の回路素子との間のデータを連結するように構成されている、請求項２１に記載の方法。
【請求項２３】
量子回路素子を含む第１のチップと、
前記第１のチップに結合されている第２のチップと
を備えるデバイスであって、前記第２のチップが、
第１の側上に単一の第１の超伝導体層を含む基板であって、前記単一の第１の超伝導体層が前記第１のチップに接合されている、基板と、
前記基板の異なる第２の側上に第２の超伝導体層と
を含む、デバイス。
【請求項２４】
前記第２のチップがコネクタをさらに含み、前記コネクタが前記基板の前記第１の側から前記基板の前記第２の側へ延在しかつ前記単一の第１の超伝導体層の一部分を前記第２の超伝導体層に接続している、請求項２３に記載のデバイス。
【請求項２５】
前記単一の第１の超伝導体層が前記基板の前記第１の側と直接接触している、請求項２３に記載のデバイス。
【請求項２６】
前記単一の第１の超伝導体層の上部表面と前記第１のチップとの間にギャップが延在している、請求項２５に記載のデバイス。
【請求項２７】
前記第２のチップが前記基板の前記第２の側上に誘電体層をさらに含む、請求項２３に記載のデバイス。
【国際調査報告】
2019532505.tif 000006
2019532505.tif 000007
2019532505.tif 000008
2019532505.tif 000009
2019532505.tif 000010